(57)【特許請求の範囲】
【請求項１】
シャッタチャージ用のパーフォレーションが１コマあたり１個又は２個形成されたフイルムに用いられるシャッタチャージ機構において、
バネ付勢によりチャージ位置からレリーズ完了位置に移動する間にシャッタ羽根を開閉するとともに、チャージ位置では巻上げ駆動部材に係合してその動作を阻止する巻止め爪を有するシャッタ駆動部材と、フイルム巻上げ時に前記パーフォレーションに係合する検知爪を有し、フイルムの巻上げ方向への移動に従動し、復帰バネの付勢に抗して移動する間に前記シャッタ駆動部材に係合してシャッタ駆動部材を前記バネ付勢に抗してレリーズ完了位置からチャージ位置に移動させるチャージ部材と、このチャージ部材の移動域に設けられ、初期位置からフイルム巻上げ方向に一定量移動したチャージ部材をその位置で係止することによってシャッタ駆動部材をチャージ位置に保持する係止部とから構成され、シャッタレリーズ操作によりシャッタ駆動部材をチャージ部材から係合解除することによってシャッタ駆動部材をバネ付勢によりチャージ位置からレリーズ完了位置に移動させてシャッタ羽根を開閉するとともに巻止め爪を巻上げ駆動部材から係合解除し、巻上げ駆動部材の作動開始に連動して前記係止部によるチャージ部材の係止を解除し、復帰バネの付勢によりチャージ部材を初期位置に戻すようにしたことを特徴とするシャッタチャージ機構。
【請求項２】
前記バネ付勢及び復帰バネの付勢により、前記シャッタ駆動部材とチャージ部材とは互いに密接する方向に付勢されるとともに、シャッタ駆動部材がチャージ部材に係合されてレリーズ完了位置からチャージ位置に移動される間には、前記検知爪が前記パーフォレーションと係合されるように、シャッタ駆動部材とチャージ部材とが一体的にフイルム側に付勢されることを特徴とする請求項１記載のシャッタチャージ機構。
【発明の詳細な説明】
【０００１】
【産業上の利用分野】
本発明は、１コマにつき１個又は２個のチャージ用パーフォレーションを設けた写真フイルムを対象とし、その１コマ送りの間にシャッタチャージを行うための機構に関するものである。
【０００２】
【従来の技術】
撮影画面範囲外に効率的に磁気記録を行うことができるように、例えば特開平３−１７９４４２号公報等により１コマあたり１個又は２個のパーフォレーションを設けた写真フイルムが知られている。このようなフイルムを使用するカメラでは、パーフォレーションの通過をフォトセンサで監視しながらモータでフイルム１コマ送りを行い、さらにモータの駆動でシャッタチャージを行うようにするのが簡便である。しかし、廉価型のカメラや、「写ルンですＨｉ」（商品名）で知られるように、予めフイルムを収納して販売されているレンズ付きフイルムユニットなどでは、ローコスト化のためにフォトセンサやモータの組み込みができないため、パーフォレーションの移動を機械的に検知して１コマ送りやシャッタチャージを行う必要がある。
【０００３】
１コマ１パーフォレーションのフイルムを用いるカメラとして、いわゆる１１０フイルムカートリッジを使用するカメラが公知である。また実開昭６３−５１３２９号公報には、１１０フイルムカートリッジを組み込んだレンズ付きフイルムユニットが記載されている。これらに用いられているシャッタチャージ機構は、フイルムに向かってほぼ垂直方向にバネ付勢された係止爪を備えている。巻上げ操作によってフイルムが送られ、パーフォレーションが移動してくると係止爪が突出してパーフォレーションに入り込む。そして、引続きフイルムを送ることにより係止爪はフイルム移送路に沿ってほぼ直線的に移動され、この間にシャッタチャージが行われる。係止爪が所定の位置に到達すると規制ピンに当接して停止される。このとき、係止爪はパーフォレーションに係合したままであるから、フイルムの巻上げが阻止されるとともに、フイルムの移動は防止される。シャッタボタンを押圧すると、係止爪はパーフォレーションからほぼ垂直方向に引き抜かれ、次の瞬間にシャッタ羽根が駆動されてフイルムを露光する。シャッタボタンの押圧を止めると、係止爪はバネで復帰して次のフイルム巻上げの準備のためにフイルム面に圧接される。
【０００４】
【発明が解決しようとする課題】
ところが、上記シャッタチャージ機構の場合、上述したように、係止爪の動きが、フイルム面に圧接される時にはフイルム通路に向かってほぼ垂直方向に、シャッタがチャージされる時にはフイルム通路に沿ってほぼ直線的に、シャッタレリーズによりパーフォレーションから引き抜かれる時にはフイルム通路からほぼ垂直方向に、というように、全てほぼ直線的である。特に、シャッタチャージ時にパーフォレーションに係合したままフイルム通路に沿って係止爪が直線的に移動することから、上述した「写ルンですＨｉ」のようなレンズ付きフイルムユニットのように、露光位置でフイルム面が湾曲しているものに適用することが困難である。すなわち、直線的に動く係止爪が湾曲したフイルム通路に沿うことができず、シャッタチャージする途中，もしくはシャッタチャージした後にパーフォレーションから抜けてしまうことになる。シャッタチャージされた後であっても係止爪がパーフォレーションから外れれば、フイルムが揺動可能になるから、撮影時にフイルムがブレて、二重像発生やピント悪化の原因になる。さらに、スライドする部材を多用しているため、部品点数が多く、係止爪の移動機構が複雑で、自動組み立てもしにくくなってコストアップを避けることができないという問題点がある。
【０００５】
本発明は、以上のような課題を解決するためになされたもので、簡単な構造でローコストでありながら、１コマにつき１個又は２個のチャージ用のパーフォレーションを設けたフイルムを１コマ送る間に確実にシャッタチャージすることができるとともに、フイルムの揺動防止も図ったシャッタチャージ機構を提供することを目的とする。
【０００６】
【課題を解決するための手段】
上記目的を達成するために、請求項１記載のシャッタチャージ機構は、シャッタチャージ用のパーフォレーションが１コマあたり１個又は２個形成されたフイルムに用いられるシャッタチャージ機構において、バネ付勢によりチャージ位置からレリーズ完了位置に移動する間にシャッタ羽根を開閉するとともに、チャージ位置では巻上げ駆動部材に係合してその動作を阻止する巻止め爪を有するシャッタ駆動部材と、フイルム巻上げ時に前記パーフォレーションに係合する検知爪を有し、フイルムの巻上げ方向への移動に従動し、復帰バネの付勢に抗して移動する間に前記シャッタ駆動部材に係合してシャッタ駆動部材を前記バネ付勢に抗してレリーズ完了位置からチャージ位置に移動させるチャージ部材と、このチャージ部材の移動域に設けられ、初期位置からフイルム巻上げ方向に一定量移動したチャージ部材をその位置で係止することによってシャッタ駆動部材をチャージ位置に保持する係止部とから構成され、シャッタレリーズ操作によりシャッタ駆動部材をチャージ部材から係合解除することによってシャッタ駆動部材をバネ付勢によりチャージ位置からレリーズ完了位置に移動させてシャッタ羽根を開閉するとともに巻止め爪を巻上げ駆動部材から係合解除し、巻上げ駆動部材の作動開始に連動して前記係止部によるチャージ部材の係止を解除し、復帰バネの付勢によりチャージ部材を初期位置に戻すようにしたものである。
【０００７】
請求項２記載のシャッタチャージ機構は、請求項１記載のシャッタチャージ機構において、前記バネ付勢及び復帰バネの付勢により、前記シャッタ駆動部材とチャージ部材とは互いに密接する方向に付勢されるとともに、シャッタ駆動部材がチャージ部材に係合されてレリーズ完了位置からチャージ位置に移動される間には、前記検知爪が前記パーフォレーションと係合されるように、シャッタ駆動部材とチャージ部材とが一体的にフイルム側に付勢されるものである。
【０００８】
【作用】
レリーズ完了状態から巻上げ駆動部材を作動させてフイルム送りを行うと、チャージ用のパーフォレーションが移動してくるまでの間は、検知爪はフイルム面上をスリップする。チャージ用のパーフォレーションが検知爪の位置まで到達すると、パーフォレーションが検知爪に係合する。この後、フイルム送りに従動してチャージ部材はシャッタ駆動部材を係合し、シャッタ駆動部材をチャージ位置に向かって移動させる。シャッタ駆動部材がチャージ位置に到達すると、チャージ部材が係止部によって係止され、シャッタ駆動部材がチャージ位置に保持される。これと同時に、シャッタ駆動部材の巻止め爪が巻上げ駆動部材に係合してその動作を阻止する。
【０００９】
シャッタボタンがレリーズ操作されると、シャッタ駆動部材がチャージ部材から係合解除され、バネ付勢によりチャージ位置からレリーズ完了位置に向かって移動される。このシャッタ駆動部材の移動によりシャッタ羽根が開閉されるとともに巻止め爪が巻上げ駆動部材から係合解除される。このシャッタ羽根の開閉時には、チャージ部材の検知爪がフイルムを係合したままチャージ部材が係止部により係止されているから、フイルムの揺動が防止され、フイルムがブレて二重像が発生したり、ピントが悪化する等の事故が解消される。シャッタ駆動部材がレリーズ完了位置に到達した後、巻上げ駆動部材の作動が開始されると、係止部によるチャージ部材の係止が解除され、復帰バネの付勢によりチャージ部材が初期位置に戻される。
【００１０】
【実施例】
以下、本発明のシャッタチャージ機構をレンズ付きフイルムユニットに適用した実施例をもとに説明する。レンズ付きフイルムユニットのユニット本体を分解して示した図２において、ユニット本体１０は、本体部１１と前カバー１２と後カバー１３とからなる。本体部１１には、その中央部に暗箱部１１ａ，これを挟んで左右にパトローネ室１１ｂ，フイルムロール室１１ｃがそれぞれ形成され、パトローネ室１１ｂにはパトローネ１６，フイルムロール室１１ｃにはパトローネ１６からフイルム１７を引き出してロール状にしたフイルムロール１８が収納される。
【００１１】
フイルム１７には、その一方の側縁に沿って１コマあたり２個のチャージ用のパーフォレーション１７ａ，１７ｂが形成されている。このパーフォレーション１７ａ，１７ｂは、互いにサイズが異なっており、パーフォレーション１７ａの方がパーフォレーション１７ｂより小さくなっている。なお、ユニット本体１０の外装体として、撮影操作に必要な所要部分に開口を設けた紙箱が用いられるが、その図示は省略した。
【００１２】
パトローネ室１１ｂの上部には、巻上げダイヤル２０が取り付けられる。巻上げダイヤル２０の外周面にはローレット２０ａが刻まれ、また底面にはフォークが一体に設けられている。このフォークは、パトローネ室１１ｂの上壁を貫通し、パトローネ１６のスプール１６ａに係合される。そして、１コマ撮影する毎に巻上げダイヤル２０を反時計方向（矢印方向）に回動すると、撮影済みのフイルムがパトローネ１６内に巻き込まれる。
【００１３】
暗箱部１１ａの上部には、後述する本発明のシャッタチャージ機構２１が取り付けられ、前部には、シャッタ羽根２２，復帰バネ２３が取り付けられ、その前面を覆うようにシャッタカバー２６が取り付けられる。シャッタカバー２６にはレンズマウント部が形成され、そこに撮影レンズ２７が嵌め込まれる。また、シャッタチャージ機構２１の上には、これを光密に被う遮光カバー２５が取り付けられる。
【００１４】
各部品が取り付けられた本体部１１の前面には、前カバー１２がフック止めされる。前カバー１２の前部には撮影窓１２ａ，ファインダ対物窓１２ｂが形成され、また上部にはシャッタボタン２８が一体に形成されている。シャッタボタン２８を押し込むと、その下部に一体に設けた先端部が楔状のレリーズアーム２８ａがシャッタチャージ機構２１のシャッタ駆動部材２９に形成された突起３０に作用し、シャッタ駆動部材２９の蹴飛ばし部３１によってシャッタ羽根２２の端部２２ａが蹴飛ばされてシャッタ羽根２２が開き、そして復帰バネ２３の付勢により閉じ位置に戻って１回の露光が行われる。
【００１５】
後カバー１３は本体部１１の背面にフック止めされ、本体部１１の内部を光密に覆う。後カバー１３の内面には湾曲したフイルム支持面１３ａが形成され、暗箱部１１ａの背面部に形成されたアパーチャでフイルム１７を湾曲させた状態で支持する。これにより、撮影レンズ２７として単レンズを用いても、像面湾曲の影響を抑え鮮明な結像を得ることができる。
【００１６】
シャッタチャージ機構２１の露光終了直後で、シャッタチャージを開始する前の初期状態を示す図１において、本体部１１の上部はシャッタチャージ機構２１のシャッタ基盤３４になっている。このシャッタ基盤３４には、溝３４ａが形成されており、この内側には、前記シャッタ駆動部材２９と、これをレリーズ完了位置からチャージ位置まで移動させるチャージ部材３５とがほぼ平行して摺動自在に収納されている。また、溝３４ａの底面には、シャッタ駆動部材２９，チャージ部材３５のシャッタ基盤３４側の面に立設されている各支点突起３６，３７を回動自在にかつフイルム給送方向に移動自在に受入れる長溝３８，３９が形成されている。
【００１７】
シャッタ駆動部材２９には、前記受け部３０と蹴飛ばし部３１の他に、チャージ用係合爪部２９ａと巻止め爪部４１とが一体成形されている。このチャージ用係合爪部２９ａは、チャージ部材３５側の縁部に形成され、チャージ部材３５のシャッタ駆動部材２９側の縁部に形成されたシャッタ駆動部材移動用のチャージ用係合爪部３５ａとシャッタチャージ時に係合される。また、巻止め爪部４１は、受け部３０と連なって一体成形され、支柱部４２により巻上げダイヤル２０と同じ高さに設けられている。そして、巻止め爪部４１は、チャージ位置で巻上げダイヤル２０のローレット２０ａに係合して巻上げダイヤル２０の巻上げ操作を阻止する。また、シャッタ駆動部材２９とシャッタ基盤３４との間には、突起２９ｂ，３４ｂを介してコイルバネ４３が掛け渡され、シャッタ駆動部材２９は支点突起３６を中心に時計方向方向に付勢されている。
【００１８】
チャージ部材３５には、前記チャージ用係合爪部３５ａの他に、フイルム１７のパーフォレーション１７ａ，１７ｂを検知してこれにそれぞれ係合される太さの異なる２本の爪部４４，４５が形成されている。この爪部４４，４５の各先端部の外縁は、互いに内側に向かってテーパ状に形成されており、かつ爪部４４，４５の太さがパーフォレーション１７ａ，１７ｂのサイズにそれぞれ対応して、（爪部４４の太さ）＜（爪部４５の太さ）となっているため、フイルム１７の給送時には、パーフォレーション１７ａは爪部４５に係合することなくこれを通過した後、爪部４４と係合し、これと同時にパーフォレーション１７ｂが爪部４５に係合される。
【００１９】
チャージ部材３５のシャッタ基盤３４側の面には、前記支点突起３７の他に、ロック用突起４７が形成されており、溝３４ａの底面にはロック用突起４７を受け入れてチャージ部材３５をチャージ位置でロックする三角カム４９付きのカム溝５０が形成されている。そして、このチャージ部材３５とシャッタ基盤３４との間には、突起３５ｂ，３４ｃを介してコイルバネ５１が掛け渡され、チャージ部材３５は支点突起３７を中心に反時計方向に付勢されている。このコイルバネ５１の付勢力は、前記コイルバネ４３の付勢力より小さく設定されており、シャッタ駆動部材２９及びチャージ部材３５は全体として時計方向に付勢されている。
【００２０】
チャージ部材３５の上部には、シャッタ駆動部材２９の突起３０と隣接して突起５５が立設されている。シャッタレリーズ時にレリーズアーム２８ａの楔状の先端部２８ｂ（図４（Ａ）参照）が突起３０，５５の隙間に挿入されることにより、チャージ部材３５はフイルム側に押さえつけられまま、シャッタ駆動部材２９が支点突起３６を中心に反時計方向に回動されるから、チャージ用係合爪部２９ａ，３５ａの係合が解除される。なお、溝３４ａを構成している壁の一部には、シャッタ駆動部材２９のレリーズ完了位置を規制する凸条部３４ｄが形成されている。
【００２１】
このように構成されたシャッタチャージ機構２１の作用を図３及び図４を参照して説明する。図３（Ａ）に示した初期状態では、シャッタ駆動部材２９及びチャージ部材３５はコイルバネ４３，５１により互いに密着する方向に付勢されており、チャージ用係合爪部２９ａ，３５ａを介して互いに係合されて一体的になっている。そして、コイルバネ４３の付勢力の方がコイルバネ５１の付勢力より大きいため、シャッタ駆動部材２９及びチャージ部材３５は全体として時計方向かつフイルムロール室１１ｃ側に付勢されている。これにより、支点突起３６，３７が長溝３８，３９のフイルムロール室１１ｃ側の端にそれぞれ当接され、かつチャージ部材３５が凸条部３４ｄに当接され、爪部４４，４５はフイルム面に摺接している。
【００２２】
この（Ａ）に示した初期状態から巻上げダイヤル２０を操作してスプール１６ａを反時計方向に回転させ、フイルム１７をパトローネ１６内に巻き込んでゆくと、フイルム１７は巻上げダイヤル２０側に向かって移送される。フイルム１７のパーフォレーション１７ａ，１７ｂが爪部４４，４５の位置に到達すると、爪部４４，４５はパーフォレーション１７ａ，１７ｂに係合される。このとき、まずパーフォレーション１７ａが爪部４５に達するが、爪部４５の先端部がフイルム移送方向に沿ってテーパ状に形成されているとともにパーフォレーション１７ａのサイズより爪部４５が太いので、パーフォレーション１７ａは爪部４５と係合することなく通過される。そして、パーフォレーション１７ａが爪部４４に到達すると、爪部４４の先端部がフイルム移送方向と逆らうようにテーパ状に形成されているとともにパーフォレーション１７ａのサイズが爪部４４の太さに対応しているから、パーフォレーション１７ａは爪部４４に係合する。また、これと同時に、パーフォレーション１７ｂが爪部４５の位置に到達して爪部４５と係合する。
【００２３】
この後、フイルム１７の移送に伴ってシャッタ駆動部材２９及びチャージ部材３５は一体的に巻上げダイヤル２０側へ向かって移動を開始する。チャージ部材３５の縁が凸条部３４ｄを離れると、シャッタ駆動部材２９及びチャージ部材３５は支点突起３６，３７を中心に時計方向へ回動されるが、ロック用突起４７が三角カム４９の平面４９ａに当接するから、シャッタ駆動部材２９及びチャージ部材３５は三角カム４９の面形状に沿いながら巻上げダイヤル２０側に移動されるようになる。
【００２４】
（Ｂ）に示すように、フイルム１７の移送が進み、ロック用突起４７が三角カム４９のテーパ面４９ｂに当接されるようになると、シャッタ駆動部材２９，チャージ部材３５は支点突起３６，３７を中心に反時計方向に回動される。なお、三角カム４９のテーパ面５９ｂの角度はフイルム支持面１３ａの湾曲面の曲率にほぼ対応しているから、爪部４４，４５がパーフォレーション１７ａ，１７ｂから外れるおそれはない。
【００２５】
更にフイルム１７の移送が進んで、（Ｃ）に示すように、シャッタ駆動部材２９がチャージ位置に到達すると、ロック用突起４７が三角カム４９のテーパ面４９ｂの頂点から外れ、コイルバネ４３，５１の合成付勢力により支点突起３６，３７を中心にシャッタ駆動部材２９，チャージ部材３５は時計方向に回動され、ロック用突起４７が三角カム４９の垂直面４９ｃに当接してチャージ部材３５はロックされる。これと同時に、巻止め爪部４１が巻上げダイヤル２０のローレット２０ａに係合され、巻上げダイヤル２０の巻上げ操作を阻止する。そして、このチャージ状態では、図面上で蹴飛ばし部３１がシャッタ羽根２２の端部２２ａの右側に位置される。
【００２６】
この後、シャッタボタン２８を押圧すると、図４（Ａ）に示すように、レリーズアーム２８ａの楔状の先端部２８ｂが突起３０，５５の隙間に挿入される。これにより、チャージ部材３５はフイルム側に押さえつけられまま、シャッタ駆動部材２９が支点突起３６を中心に反時計方向に回動されるから、巻止め爪部４１とローレット２０ａとの係合が解除されるとともに、チャージ用係合爪部２９ａ，３５ａの係合が解除される。
【００２７】
シャッタ駆動部材２９はチャージ部材３５から分離してコイルバネ４３の付勢力によりレリーズ完了位置に向かって高速走行を開始する。次の瞬間、蹴飛ばし部３１はシャッタ羽根２２の端部２２ａを蹴飛ばし、シャッタ羽根２２の背後に形成された露光孔が開閉され、アパーチャにセットされたフイルム１７が露光される。このとき、チャージ部材３５の爪部４４，４５がパーフォレーション１７ａ，１７ｂに係合したままであるから、フイルム１７の揺動は防止され、ピントのシャープな画像を得ることができる。そして、シャッタ駆動部材２９は（Ｂ）に示すレリーズ完了位置に復帰される。
【００２８】
この露光終了直後では、チャージ部材３５はチャージ位置に停止したままであるが、次の撮影準備のために巻上げダイヤル２０を操作すると、（Ｃ）に示すように、移送されるフイルム１７に引っ張られてチャージ部材３５が反時計方向に回動され、爪部４４，４５がパーフォレーション１７ａ，１７ｂから引き抜かれるとともに、ロック用突起４７が三角カム４９の垂直面４９ｃから外れる。この結果、チャージ部材３５はコイルバネ５１の付勢力により図３（Ａ）に示す初期位置に復帰される。なお、図示してないが、このチャージ部材３５の回動途中で、チャージ部材３５の上部に形成された爪部がチャージ部材３５の上方に配置された撮影可能枚数を表示する枚数表示板を一目盛り分だけ歩進させる。
【００２９】
また、フイルム１７の移送でチャージ部材３５が反時計方向に回動されるときには、チャージ部材３５の縁で押されてシャッタ駆動部材２９が反時計方向に回動されるから、シャッタ駆動部材２９がチャージ部材３５の反時計方向への回動を妨げられることはない。そして、チャージ部材３５が初期位置に戻ったときには、コイルバネ４３，５１の合成付勢力によりシャッタ駆動部材２９及びチャージ部材３５はともに時計方向に回動され、図３（Ａ）に示す状態になる。
【００３０】
以上説明した実施例は、本発明のシャッタチャージ機構をレンズ付きフイルムユニットに適用したものであったが、順巻き方式のカメラにも適用可能である。この場合には、例えばパトローネ室の代わりに巻取り軸を備えたフイルム巻取り室を設け、フイルムロール室の代わりにパトローネ室を設ければよい。なお、チャージ用のパーフォレーションが１コマあたり２個のフイルムを用いた実施例のみを説明したが、パーフォレーションが１コマあたり１個のフイルムを用いてもよい。また、前記実施例のフイルムには、チャージ用のパーフォレーションのみを示したが、この他に、例えばフイルム先端部には巻取り軸に係合するパーフォレーション，フイルム終端部にはフイルム終端をカメラ側に伝達するためのパーフォレーション等が形成されている。
【００３１】
【発明の効果】
以上詳細に説明したように、本発明のシャッタチャージ機構によれば、フイルム巻上げに連動して移動されるチャージ部材によってシャッタ駆動部材をチャージ位置まで移動して保持させるようにしたので、簡単な構造でローコストでありながら、１コマにつき１個又は２個のチャージ用パーフォレーションを設けたフイルムを１コマ送る間に確実にシャッタチャージすることができる。また、シャッタレリーズ操作によりシャッタ駆動部材をチャージ部材から係合解除してレリーズ完了位置に向かって移動させるようにしたので、シャッタ駆動部材がシャッタ羽根を開閉する間はチャージ部材の検知爪がフイルムを係合したままであるから、フイルムがブレて二重像が発生したり、ピントが悪化する等の事故が解消できる。また、シャッタ駆動部材とチャージ部材とを互いに密接される方向に付勢するとともにシャッタ駆動部材をチャージ位置に移動させる際にはシャッタ駆動部材及びチャージ部材が全体としてフイルム側に付勢されるようにしたので、簡単な構成でありながらフイルム巻上げ時にシャッタ駆動部材とチャージ部材との係合及び検知爪とパーフォレーションとの係合がともに解除されることなく、確実にシャッタチャージを行うことができるとともに、シャッタレリーズ操作により簡単にシャッタ駆動部材をチャージ部材から係合解除することができる。
【図面の簡単な説明】
【図１】本発明のシャッタチャージ機構の構成を概略的に示す説明図である。
【図２】本発明のシャッタチャージ機構を適用したレンズ付きフイルムユニットのユニット本体の構成を示す分解斜視図である。
【図３】シャッタチャージ機構の初期状態からチャージ状態に到るまでの動作を示す説明図である。
【図４】シャッタチャージ機構のチャージ状態からシャッタレリーズし、次の撮影準備のために巻上げ操作を行うまでの動作を示す説明図である。
【符号の説明】
１０  ユニット本体
１１  本体部
１１ｂ  パトローネ室
１１ｃ  フイルムロール室
１６  パトローネ
１７  フイルム
１７ａ，１７ｂ  パーフォレーション
２０  巻上げダイヤル
２０ａ  ローレット
２１  シャッタチャージ機構
２２  シャッタ羽根
２８  シャッタボタン
２９  シャッタ駆動部材
２９ａ，３５ａ  チャージ用係合爪部
３０，５５  突起
３１  蹴飛ばし部
３４  シャッタ基盤
３５  チャージ部材
３６，３７  支点突起
３８，３９  長溝
４１  巻止め爪部
４３，５１  コイルバネ
４４，４５  爪部
４７  ロック用突起
４９  三角カム
５０  カム溝
【図１】
0003585974.tif 000002
【図２】
0003585974.tif 000003
【図３】
0003585974.tif 000004
【図４】
0003585974.tif 000005